(57)【要約】【課題】多室を同時もしくは個別に暖房運転モード、涼風運転モード又は換気運転モードを設定して空調運転できるようにすると共に、浴室や、脱衣所、シャワー室、洗面所等のサニタリー空間を快適な環境に維持できるようにする。【解決手段】  吸込口５４ａ上に設置されて吸気及び循環換気する吸込口ユニット４ａと、吸込口５４ｂ上に設置されて吸気及び循環換気する吸込口ユニット４ｂと、脱衣所５２の循環吹出口５４ｃ上に設置されて温風Ｉ又は涼風IIIを吹き出す吹出口ユニット３と、浴室５１又は脱衣所５２の天井裏面に設置されて空気IIを循環送風する送風装置本体２とを備え、送風装置本体２は、浴室５１及び脱衣所５２の天井パネル５２ａの裏面で、吸込口ユニット４ａ、４ｂと吸込ダクト６を介して接続されると共に、吹出口ユニット３と吹出ダクト５を介して接続されて成るものである。【選択図】        図１
2007107790.tif 000002
【特許請求の範囲】
【請求項１】
天井パネルの上面側に設置され、空気を吸い込み、吸い込んだ空気を吹き出す送風手段を有した送風装置本体と、
前記送風装置本体とダクト部材を介して接続され、第１の室の天井パネルに露出させて配置され、第１の室の空気を吸い込む第１の吸込口部と、
前記送風装置本体とダクト部材を介して接続されると共に、前記第１の室と隣接する第２の室の天井パネルに露出させて設置され、第２の室の空気を吸い込む第２の吸込口部と、
前記送風装置本体とダクト部材を介して接続されると共に、前記第１の室又は第２の室の天井パネルに露出させて配置され、前記吸込口部より吸い込んだ空気を吹き出す吹出口部とを備えたことを特徴とする空調装置。
【請求項２】
前記吹出口部には、
吹出方向を切換える風向切換手段が設けられ、
該風向切換手段により前記第１の室又は第２の室への吹出方向を切換え可能としたことを特徴とする請求項１に記載の空調装置。
【請求項３】
前記吹出口部に対し、前記送風装置本体を介して接続される前記第１の吸込口部、第２の吸込口部の少なくともいずれかに空気の通過を規制する電動開閉手段が設けられていることを特徴とする請求項１又は２に記載の空調装置。
【請求項４】
前記吹出口部には、
前記ダクト部材を介して前記送風装置本体から送り込まれた空気を吹出口から吹き出すか、屋外へ排出するかを切換える風路切換手段が備えられることを特徴とする請求項１乃至３のいずれかに記載の空調装置。
【請求項５】
前記吹出口部には、
吹き出す空気を加熱する加熱手段が備えられたことを特徴とする請求項１乃至３のいずれかに記載の空調装置。
【請求項６】
前記吹出口部には、
前記ダクト部材を介して前記送風装置本体から送り込まれた空気を吹出口から吹き出すか、屋外へ排出するかを切換える風路切換手段が備えられることを特徴とする請求項５に記載の空調装置。
【請求項７】
前記第１の吸込口部、第２の吸込口部の少なくともいずれかに空気の通過を規制する電動開閉手段が設けられると共に、
前記吹出口部には、
前記第１又は第２の室のへの吹出方向を切換え可能な風向切換手段と、
前記ダクト部材を介して前記送風装置本体から送り込まれた空気を吹出口から吹き出すか、屋外へ排出するかを切換える風路切換手段とが設けられ、
更に、当該空調装置の運転モードを設定する設定手段と、
前記設定手段で設定された運転モードに基づき、前記送風手段、前記加熱手段、前記電動開閉手段、前記風向切換手段及び風路切換手段を制御する制御部とが備えられることを特徴とする請求項１に記載の空調装置。
【発明の詳細な説明】
【技術分野】
【０００１】
本発明は、浴室や脱衣所、シャワー室、洗面所等のサニタリー空間に設置され、これら空間の換気、乾燥及び暖房等を行う浴室換気乾燥暖房機に適用して好適な空調装置に関する。詳しくは、浴室の天井裏面に設置されて空気を循環送風する送風装置本体を備え、浴室及び洗面所の天井パネルの裏面で、吸込口ユニットとダクト部材を介して接続すると共に吸込口ユニット及び吹出口ユニットとダクト部材を介して接続して、多室を同時もしくは個別に暖房モード、涼風モード又は換気モードを設定して空調運転できるようにすると共に、浴室や脱衣所等のサニタリー空間を快適な空間に維持できるようにしたものである。
【背景技術】
【０００２】
従来より、浴室に温風を送出して暖房を行ったり、洗濯物の乾燥や換気を行う機能を備えた浴室用の空調装置が提供されている。このような浴室空調装置は、空気の吸込口や吹出口を有するフロントパネルが下面に備えられ、浴室の天井からフロントパネルが露出する形態で取り付けられる（例えば、特許文献１参照）。
【０００３】
【特許文献１】特開２００３−２９４２８９号公報
【発明の開示】
【発明が解決しようとする課題】
【０００４】
ところで、従来方式の浴室空調装置によれば、次のような問題がある。
【０００５】
ｉ．従来方式の浴室空調装置を使用して、複数の部屋に温風を送出して暖房を行ったり、洗濯物の乾燥や換気を行う空調システムを構成しようとした場合に、比較的、大きく厚みを有した空気の吸込口や吹出口用のフロントパネルが各部屋毎に露出してしまう。天井表面の見た目のすっきり感が欠如するおそれがある。
【０００６】
ii．一般に、複数の部屋に温風を送出して暖房を行う場合に、中央暖房システムを除いて温風発生機能を持った空調装置を各部屋毎に設置しなければならない。従って、運転コストの上昇につながる。
【０００７】
本発明は、このような課題を解決するためになされたもので、多室を同時もしくは個別に空調運転できるようにすると共に、浴室や脱衣所等のサニタリー空間を快適な環境に維持できるようにした空調装置を提供することを目的とする。
【課題を解決するための手段】
【０００８】
上述した課題を解決するため、本発明に係る空調装置は、天井パネルの上面側に設置され、空気を吸い込み、吸い込んだ空気を吹き出す送風手段を有した送風装置本体と、この送風装置本体とダクト部材を介して接続され、第１の室の天井パネルに露出させて配置され、第１の室の空気を吸い込む第１の吸込口部と、送風装置本体とダクト部材を介して接続されると共に、第１の室と隣接する第２の室の天井パネルに露出させて設置され、第２の室の空気を吸い込む第２の吸込口部と、送風装置本体とダクト部材を介して接続されると共に、第１の室又は第２の室の天井パネルに露出させて配置され、吸込口部より吸い込んだ空気を吹き出す吹出口部とを備えたことを特徴とするものである。
【０００９】
本発明に係る空調装置によれば、送風装置本体が天井パネルの上面側に設置され、第１の吸込口部が送風装置本体とダクト部材を介して接続されると共に、第１の室の天井パネルに露出させて配置される。第２の吸込口部は、送風装置本体とダクト部材を介して接続されると共に、第１の室と隣接する第２の室の天井パネルに露出させて設置され、吹出口部は、送風装置本体とダクト部材を介して接続されると共に、第１の室又は第２の室の天井パネルに露出させて配置される。
これを前提にして、送風装置本体が空気を吸い込むと、第１の吸込口部では第１の室の空気を吸い込み、第２の吸込口部では第２の室の空気を吸い込み、吸い込んだ空気を吹き出すと、吹出口部は、吸込口部より吸い込んだ空気を吹き出すようになる。従って、多室を同時もしくは個別に暖房モードや、涼風モード、換気モード等を設定して空調運転できるようになる。もちろん、運転モードは前述したものに限定されるものではない。
【発明の効果】
【００１０】
本発明に係る空調装置によれば、天井パネルの上面側に設置された送風装置本体を備え、送風装置本体には、ダクト部材を介して、第１、第２の吸込口部及び吹出口部が接続され、送風装置本体が空気を吸い込むと、第１の吸込口部では第１の室の空気を吸い込み、第２の吸込口部では第２の室の空気を吸い込み、吸い込んだ空気を吹き出すと、吹出口部は吸込口部より吸い込んだ空気を吹き出すようになる。
【００１１】
この構成によって、多室を同時もしくは個別に暖房モード、涼風モード又は換気モードを設定して空調運転できるようになる。これにより、浴室や脱衣所等のサニタリー空間を快適な環境に維持することができる。
【発明を実施するための最良の形態】
【００１２】
以下、図面を参照しながら、この発明の実施の形態に係る空調装置について説明をする。
【実施例１】
【００１３】
図１は、本発明に係る空調装置としての実施例に係る浴室空調装置１００の構成例を示す上面図であり、浴室５１、脱衣所（洗面所）５２等の天井裏における空調部材の配置例を示している。
【００１４】
図１に示す浴室空調装置１００は、浴室換気乾燥暖房機能を有しており、第１の室としての浴室５１や第２の室としての脱衣所５２等のサニタリー空間における換気、乾燥及び暖房等を行うものである。
【００１５】
上述の浴室５１の天井パネル５２ａには点検口５５ａが設けられる。また、天井パネル５２ａには点検口５５ａの他に、第１の吸込口（吸込みグリル取付開口部）５４ａが設けられる。吸込口５４ａは、天井パネル５２ａの所定の位置を開口して形成するようになされる。吸込口５４ａは、作業性をよくするために、例えば、点検口５５ａから手の届く範囲に設けるとよい。吸込口５４ａ上には第１の吸込口部の一例を構成する吸込口ユニット４ａが設置され、浴室内で吸気及び循環換気をするようになされる。吸込口ユニット４ａは浴室５１の空気を吸い込む循環・換気吸込グリル８ａを有している。循環・換気吸込グリル８ａは、長方形状を成している。
【００１６】
また、浴室５１に隣接する第２の室としての脱衣所５２の天井パネル５２ｂには、第２の吸込口（吸込みグリル取付開口部）５４ｂが設けられる。吸込口５４ｂは、脱衣所５２の天井パネル５２ｂの所定の位置を開口して形成するようになされる。例えば、吸込口５４ｂは、浴室５１及び脱衣所５２の境界部分（仕切部材）に沿って設けられる。
【００１７】
吸込口５４ｂ上には第２の吸込口部の一例を構成する吸込口ユニット４ｂが配置され、脱衣所内で吸気、循環換気等をするようになされる。吸込口ユニット４ｂは脱衣所５２の空気を吸い込む循環・換気吸込グリル８ｂを有している。循環・換気吸込グリル８ｂは、長方形状を成している。
【００１８】
通常、浴室５１と脱衣所５２との境界部分には、水切りをよくするために、図示しない浴室ドアで仕切られる。脱衣所５２の５２天井パネル５２ｂの所定の位置、この例では、上述の吸込口５４ｂの取付位置から延在する位置には、当該吸込口５４ｂに対して循環吹出口（吹出グリル取付開口部）５４ｃが連設されている。例えば、循環吹出口５４ｃは、脱衣所５２から浴室５１への出入口５７（図２参照）の上方の天井パネル５２ｂを開口して形成するようになされる。
【００１９】
上述の循環吹出口５４ｃには、吹出口部の一例を構成する吹出口ユニット３が配置され、浴室ドアの開閉状態を伴って、浴室内及び脱衣所内に温風又は涼風（加熱手段を用いない送風）を吹き出すように動作する。吹出口ユニット３は、脱衣所５２に空気を吹き出す循環吹出グリル７を有している。循環吹出グリル７は例えば、長方形状を成している。
【００２０】
この例で、吹出口ユニット３は、浴室５１及び脱衣所５２の双方の室内に吹き出し可能なように、第１の室である浴室５１と、第２の室である脱衣所５２との境界部分の近傍に配置されている。なお、境界部近傍には、境界部分と浴室５１及び脱衣所５２との空調が行えるような境界部分の近傍の位置の両方を含むものである。
【００２１】
また、浴室５１の天井裏面には、送風手段の一例となる送風装置本体２が設置され、空気を循環送風するように動作する。送風装置本体２が設置される位置には開口部が形成されておらず、送風装置本体２は、浴室５１内には露出しない形態を採る。送風装置本体２は、浴室５１の天井裏面に限られることはなく、脱衣所５２の天井裏面に設けてもよい。
【００２２】
この例で、送風装置本体２は、浴室５１及び脱衣所５２の天井パネル５２ａの裏面で、吸込口ユニット４ａ，４ｂと吸込みダクト（ダクト部材）６を介して接続されると共に、吹出口ユニット３と吹出ダクト（ダクト部材）５を介して接続される。この例で送風装置本体２の吸込口ユニット４ａ側には、電動開閉手段の一例を構成する電動ダンパ５６が取り付けられ、本体内のダンパを開閉して気流の通過を制御するようになされる。なお、電動ダンパ５６は、第２の吸込口ユニット４ｂに設けてもよい。
【００２３】
また、上述の循環吹出グリル７と循環・換気吸込グリル８ａ，８ｂのサイズは、それぞれ送風装置本体２の下面のサイズより小型に構成される。これは、点検口５５ａ及び５５ｂから天井裏面へ搬入できる最大の大きさが送風装置本体２の大きさに合わせてあるためである。更に、循環吹出グリル７と循環・換気吸込グリル８ａ，８ｂの縦方向（短手方向）の長さは同じ長さに構成される。そして、循環吹出グリル７と循環・換気吸込グリル８ａ，８ｂは、横方向（長手方向）に一列状に並ぶ配置となるように、吹出口ユニット３と吸込口ユニット４ｂの設置位置が設定される。
【００２４】
ここで、吹出口ユニット３の循環吹出グリル７及び吸込口ユニット４ｂの循環・換気吸込グリル８ｂの設置位置には、図示しないアルミニウム等の金属製又は樹脂製の枠部が取り付けられ、循環吹出グリル７及び循環・換気吸込グリル８ｂは、枠部に嵌め込まれる形態で取り付けられる。また、枠部の循環吹出グリル７及び循環・換気吸込グリル８ｂが設置されない箇所については、アルミニウム等の金属製又は樹脂製のカバー部材（図示せず）が取り付けられて、意匠性を損なわないように配置されている。
【００２５】
図２は、図１に示した浴室空調装置１００の空調部材の配置例をＡＡ方向から見た側面図である。図２に示す温風を吹き出す循環吹出グリル７には、風向切換手段の一例を構成する電動ルーバ部４７が取り付けられる。電動ルーバ部４７は、浴室５１又は脱衣所５２への温風及び涼風の吹出方向を選択する方向選択機能及び、浴室５１又は脱衣所５２への温風及び涼風の吹出方向を交互に選択するスイング機能を有している。
【００２６】
この例で、暖房運転モード時、浴室５１を暖房する場合は、浴室５１への出入口５７の図示しない浴室ドアを開けて置くようになされる。電動ルーバ部４７は、浴室５１への温風の吹出方向を選択するようになされる。また、脱衣所（メインルーム）５２のみを暖房する場合は、上述の浴室ドアを閉めて置くようになされる。電動ルーバ部４７は、脱衣所５２への温風の吹出方向を選択するようになされる。
【００２７】
更に、涼風運転モード時、浴室５１に涼風を吹き出す場合は、浴室５１への出入口５７の図示しない浴室ドアを開けて置くようになされる。電動ルーバ部４７は、浴室５１への涼風吹出方向を選択するようになされる。また、脱衣所（メインルーム）５２のみに涼風を吹き出す場合は、上述の浴室ドアを閉めて置くようになされる。電動ルーバ部４７は、脱衣所５２への涼風吹出方向を選択するようになされる。
【００２８】
なお、暖房又は涼風運転でスイングモードを選択する場合は、浴室５１への出入口５７の図示しない浴室ドアを開けて置くようになされる。電動ルーバ部４７は、浴室５１又は脱衣所５２への温風及び涼風の吹出方向を交互に選択するスイング機能を選択するようになされる。
【００２９】
この例で、吸込口ユニット４ａは、浴槽５１ｃの上方の天井パネル５２ａに取り付けられる。浴槽５１ｃの上方の湿った空気を換気し易くするためである。また、送風装置本体２の吸込口ユニット４ａの側（吸込口）に取り付けられた電動ダンパ５６は、本体内のダンパを閉じて、脱衣所５２以外から空気を吸い込み機能を遮断するようになされる。これは、脱衣所５２のみで暖房運転モードや乾燥運転モードを実行する場合を考慮したためである。
【００３０】
また、吹出口ユニット３の内部には、図４で示すような風路切換用の循環ダンパ２６が設けられると共に、換気ダクト２２が接続される。上述の送風装置本体２は、スイング涼風運転モード、浴室５１及び脱衣所５２の涼風運転モード時に、吸込口ユニット４ｂを通じて吸い込んだ脱衣所５２の空気の一部を吹出口ユニット３の循環ダンパ２６及び換気ダクト２２を通じて外部に排気するようになされる。
【００３１】
＜送風装置本体の構成例＞
図３Ａ及びＢは、送風装置本体２の内部構成例を示す断面図である。図３Ａに示す送風装置本体２は、モータ９、ファン１０、ファンケース１１及び本体ケースを有して構成される。
【００３２】
ファンモータ９は、ファンケース１１に取り付けられており、その回転軸にはファン１０が取り付けられる。ファンモータ９は、例えば、多翼の羽根車で構成されるファン１０の回転軸が鉛直方向となる向きで、ファンケース１１に取り付けられる。ファン１０は、モータ９が回転駆動すると、空気を吸い込んで吹き出すようになされる。ファンケース１１は、ファン１０により吸い込まれた空気を吹き出す風路を形成するものである。
【００３３】
ファンケース１１は、送風装置本体２の外形を構成する本体ケース１２に取り付けられ、ファン１０の軸方向に沿った下面を開口してファン吸込口１１ａが形成されると共に、ファン１０の接線方向に沿った空気の吹出方向にファン吹出口１１ｂが形成される。
【００３４】
図３Ｂに示す本体ケース１２は、扁平した直方体形状を有しており、ファン吹出口１１ｂと連通した一の側面に、図１又は図２に示した吹出ダクト５が取り付けられる吹出ダクト取付部１３を備える。また、本体ケース１２は、ファンケース１１の下部にファン吸込口１１ａと連通した吸込風路１４が形成され、吸込風路１４と連通した他の側面に、吸込ダクト６が取り付けられる吸込ダクト取付部１５を備える。ここで、図１では吸込ダクト取付部１５を対向する２側面に１個ずつ備えた例を説明しているが、吸込ダクト取付部１５の数は１個でもよいし、２個以上であってもよい。
【００３５】
なお、図３Ａに示した送風装置本体２は、ファンケース１１のファン吹出口１１ｂにイオン発生器１６を備えている。イオン発生器１６はイオン発生手段の一例で、ファンケース１１によって形成される吹出風路にイオン放出面が露出する。イオン発生器１６は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００３６】
これらＨ+（Ｈ2Ｏ）m及びＯ2-（Ｈ2Ｏ）nは、浮遊菌の表面に付着し、化学反応して活性種であるＨ2Ｏ2又は・ＯＨを生成する。Ｈ2Ｏ2又は・ＯＨは、極めて強力な活性を示すため、これらにより、空気中の浮遊細菌を取り囲んで除去することができる。ここで、・ＯＨは活性種の１種であり、ラジカルのＯＨを示している。
【００３７】
これにより、ファンモータ９の回転と連動させてイオン発生器１６で略同数の正イオンと負イオンを発生させることで、浴室５１に略同数の正イオンと負イオンを供給することで、空気中の浮遊細菌を除去して、カビの発生等を抑えることができる。
【００３８】
＜吹出口ユニットの構成例＞
図４は、吹出口ユニット３の内部構成例を示す断面図である。図４に示す吹出口ユニット３は、送風装置本体２から吹き出す空気の風路が形成される吹出口ケース１７に、吹出ダクト取付部１８と吹出グリル取付部１９とが設けられて構成される。
【００３９】
吹出口ユニット３は、空気を吸い込む循環・換気吸込口２０が吹出口ケース１７の一の側面に形成され、循環・換気吸込口２０と連通して吹出ダクト取付部１８が取り付けられる。吹出ダクト取付部１８は図１又は図２に示した吹出ダクト５に接続される。吹出口ケース１７の下方には、吹出グリル取付部１９が設けられる。吹出グリル取付部１９には循環吹出グリル７が取り付けられる。
【００４０】
また、吹出口ユニット３は、空気を吹き出す換気吹出口２１が、循環・換気吸込口２０と対向して吹出口ケース１７の他の側面に形成され、換気吹出口２１と連通して、排気ダクト２２が接続される排気ダクト取付部２３が取り付けられる。
【００４１】
更に、吹出口ユニット３は、空気を吹き出す循環吹出口２４が吹出口ケース１７の下部に形成され、循環吹出口２４に吹出グリル取付部１９が取り付けられると共に、循環吹出口２４にヒータ２５を備えている。ヒータ２５は加熱手段の一例で、例えばＰＴＣヒータ等で構成され、ヒータ２５に通電されると、循環吹出口２４を通る空気が加熱され、吹出グリル取付部１９に取り付けられた循環吹出グリル７から温風が吹き出す。
【００４２】
吹出口ユニット３は、吹出口ケース１７内に形成される風路を切換える循環ダンパ２６を備えている。循環ダンパ２６は風路切換手段の一例で、ダンパモータ２７により軸２６ａを支点に回転する。そして、吹出口ケース１７内には、循環ダンパ２６の位置によって、循環・換気吸込口２０から循環吹出口２４へ連通した循環風路２８ａか、循環・換気吸込口２０から換気吹出口２１へ連通した排気風路２８ｂが形成される。
【００４３】
すなわち、循環ダンパ２６が図２に実線で示す全閉位置にあると、換気吹出口２１への風路が遮蔽され、循環・換気吸込口２０から循環吹出口２４へ連通した循環風路２８ａが形成される。この循環ダンパ２６の全閉となる位置を循環位置と称す。
【００４４】
これに対して、循環ダンパ２６が図４で二点鎖線で示す全開位置にあると、循環吹出口２４への風路が遮蔽され、循環・換気吸込口２０から換気吹出口２１へ連通した排気風路２８ｂが形成される。この循環ダンパ２６が全開となる位置を換気位置と称す。
【００４５】
更に、循環ダンパ２６が図２に二点鎖線で示す循環位置と換気位置の中間位置にあると、循環・換気吸込口２０から循環吹出口２４へ連通した循環風路２８ａと、循環・換気吸込口２０から換気吹出口２１へ連通した排気風路２８ｂの双方が形成される。この循環ダンパ２６の中間位置を循環換気位置と称す。この例では、循環換気位置で２４時間換気運転を実行する。
【００４６】
この例で、図４に示す循環吹出グリル７には電動ルーバ部４７が取付けられ、温風又は涼風の吹出方向を選択する方向選択機能及び、温風又は涼風の吹出方向を交互に選択するスイング機能を有している。
【００４７】
図５Ａ〜Ｃは、電動ルーバを備えた循環吹出グリル７の構成例及び動作例を示す図である。
【００４８】
図５Ａに示す循環吹出グリル７には風向切換手段としての電動ルーバ部４７が備えられる。電動ルーバ部４７は、複数枚の整流板４８と、各整流板４８の向きを変えるルーバモータ４９と、各整流板４８に駆動力を伝達するリンク機構５０を有している。
【００４９】
各整流板４８は、軸４８ａを支点に回転自在に支持され、１枚の整流板４８の軸４８ａにルーバモータ４９の軸が連結されている。ルーバモータ４９はステッピングモータで構成され、整流板４８の往復回転動作が可能である。各整流板４８には、リンク機構５０を構成するリンクレバー５０ａが取り付けられ、各リンクレバー５０ａがリンクロッド５０ｂで連結される。
【００５０】
この例で、ルーバモータ４９が矢印ａ方向に回転駆動されると、ルーバモータ４９と連結された整流板４８が軸４８ａを支点に矢印ａ方向に回転すると共に、各整流板４８がリンクレバー５０ａ及びリンクロッド５０ｂで連結されているので、各整流板４８が軸４８ａを支点に矢印ａ方向に回転する。これにより、各整流板４８は、図５Ｂに示すように一の方向、例えば、図１に示した脱衣所５２の方向に姿勢を変えるようになされる。
【００５１】
これに対して、ルーバモータ４９が矢印ｂ方向に回転駆動されると、ルーバモータ４９と連結された整流板４８が軸４８ａを支点に矢印ｂ方向に回転すると共に、各整流板４８が軸４８ａを支点に矢印ｂ方向に回転する。これにより、各整流板４８は、図５Ｃに示すように他の方向、例えば、図１に示した浴室５１の方向に姿勢を変えるようになされる。
【００５２】
＜吸込口ユニットの構成例＞
図６Ａ及びＢは、吸込口ユニット４ａ等の内部構成例を示す断面図である。図６Ａに示す吸込口ユニット４ａは、循環・換気吸込グリル８ａ、半円ドーム状のチャンバー２９及び吸込グリル取付部３０を有して構成される。
【００５３】
吸込グリル取付部３０は枠部材の一例を構成し、防錆性の金属又は耐候性のよい樹脂から構成される。吸込グリル取付部３０の両側上部には、例えば、凹状の係止部３０ａ，３０ａが設けられる。吸込グリル取付部３０は天井パネル５２ａに開口された吸込口５４ａに取付られる。また、吸込グリル取付部３０の両側下部には、例えば、凹状の係止部３０ｂ，３０ｂが設けられる。
【００５４】
吸込グリル取付部３０の上方には、チャンバー２９が取付られる。チャンバー２９は防錆性の金属又は耐候性のよい樹脂から構成される。チャンバー２９の両側には爪部２９ａ，２９ａが設けられ、吸込グリル取付部３０の両側の凹状の係止部３０ｂ，３０ｂに嵌合するようになされる。チャンバー２９の上部側面には、排気口２９ｂが設けられ、図１及び図２に示した吸込ダクト６に接続される。
【００５５】
この例で、天井裏面側で吸込グリル取付部３０上にチャンバー２９を設置する際に、チャンバー２９の爪部２９ａ，２９ａを吸込グリル取付部３０の係止部３０ａ，３０ａに係合して仮止めされる。この状態で浴室内から所定のネジで吸込グリル取付部３０とチャンバー２９とがネジ止めして固定される。
【００５６】
図６Ｂに示す循環・換気吸込グリル８ａはパネル部材を構成し、浴室内側から吸込グリル取付部３０に取付けるようになされる。循環・換気吸込グリル８ａは、チャンバー２９を介して吸込ダクト６と連通される。この例で、循環・換気吸込グリル８ａの両側上面には、図６Ａに示すように爪部８ｃ，８ｃが設けられる。吸込グリル取付部３０に循環・換気吸込グリル８ａを取り付ける際に、吸込グリル取付部３０の係止部３０ｂ，３０ｂに循環・換気吸込グリル８ａの爪部８ｃ，８ｃを嵌合して固定される。これにより、浴室内から天井パネル面を見たとき、循環・換気吸込グリル８ａの平坦な化粧面のみが露出するようになり、見た目すっきりした形態となる（図６Ａ及びＢ参照）。
【００５７】
続いて、本発明に係る浴室空調装置１００の取付方法について説明する。この例では、浴室５１の天井パネル５２ａの所定の位置を開口して、点検口５５ａ、吸込口５４ａを形成する。吸込口５４ａには吸込グリル取付部３０が取付られる。更に、浴室５１の天井裏面側から当該吸込口５４ａ上に吸込口ユニット４ａを設置する。
【００５８】
例えば、天井裏面側で吸込グリル取付部３０上にチャンバー２９を設置する際に、チャンバー２９の爪部２９ａ，２９ａを吸込グリル取付部３０の係止部３０ａ，３０ａに係合して仮止めされる。この状態で浴室内から所定のネジで吸込グリル取付部３０とチャンバー２９とがネジ止めして固定される。その後、吸込グリル取付部３０の係止部３０ｂ，３０ｂに循環・換気吸込グリル８ａの爪部８ｃ，８ｃを嵌合される、これにより、循環・換気吸込グリル８ａが吸込グリル取付部３０に固定される。
【００５９】
次に、浴室５１の天井裏面にその点検口５５ａを利用して送風装置本体２を設置する。このとき、送風装置本体２を設置する位置には開口部が形成されておらず、送風装置本体２を浴室５１内に露出しない形態が採られる。例えば、天井裏面に、図示しない本体取付架台を配置し（取り付け）、その架台に送風装置本体２をネジ止めして固定される。この例で送風装置本体２の吸込口ユニット４ａ側には、電動ダンパ５６が取り付けられ、本体内のダンパを開閉して気流の通過を制御するようになされる。
【００６０】
その後、浴室５１に隣接する脱衣所５２の天井パネル５２ｂの所定の位置を開口して、点検口５５ｂ、吸込口５４ｂ及び循環吹出口５４ｃを形成する。例えば、脱衣所５２の天井裏面側からその点検口５５ｂを利用して当該脱衣所５２の吸込口５４ｂ上に吸込口ユニット４ｂを設置する。天井裏面側で吸込グリル取付部３０上にチャンバー２９を設置する際に、チャンバー２９の爪部２９ａ，２９ａを吸込グリル取付部３０の係止部３０ａ，３０ａに係合して仮止めされる。この状態で脱衣所内から所定のネジで吸込グリル取付部３０とチャンバー２９とがネジ止めして固定される。その後、吸込グリル取付部３０の係止部３０ｂ，３０ｂに循環・換気吸込グリル８ｂの爪部８ｃ，８ｃ（図示せず）を嵌合される、これにより、循環・換気吸込グリル８ｂが吸込グリル取付部３０に固定される。
【００６１】
また、循環吹出口５４ｃには、吹出グリル取付部１９が取付られる。天井裏面で吹出グリル取付部１９上には吹出口ユニット３が設置され、吹出グリル取付部１９には背脱衣所内側から循環吹出グリル７が取り付けられる。その後、浴室５１の天井裏面の送風装置本体２と吸込口ユニット４ａとを吸込ダクト６を介して接続すると共に、脱衣所５２の天井裏面の吹出口ユニット３とを吸込ダクト６を介して接続する。例えば、吸込ダクト取付部１５に吸込ダクト６の一端側が接続され、チャンバー２９に吸込ダクト６の他端側が接続されることで、送風装置本体２と吸込口ユニット４ａは、吸込ダクト６を介して接続される。
【００６２】
また、送風装置本体２と吹出口ユニット３とを吹出ダクト５を介して接続する。例えば、吹出ダクト取付部１３に吹出ダクト５の一端側が接続され、吹出口ユニット３は、吹出ダクト取付部１８に吹出ダクト５の他端側が接続されることで、送風装置本体２と吹出口ユニット３とが吹出ダクト５を介して接続される。更に、吹出口ユニット３に排気ダクト２２を接続する。排気ダクト２２は、吹出口ユニット３の排気ダクト取付部２３に接続される。排気ダクト２２は、浴室５１や脱衣所５２が設置される図示しない建物の排気口に接続され、屋外へ排気するようになされる。
【００６３】
これにより、空調装置１００が組立て完了する。なお、吹出ダクト５、吸込ダクト６及び排気ダクト２２は、各ユニットを固定する前に、天井裏面で、各吸込口又は排気口に接続し、その接続を完了してから、各ユニットを各部に取り付け固定するようにしてもよい。また、各ユニットの設置形態としては、アンカーボルト等を使用して天井裏（上階の床下：コンクリートスラブ）に吊り下げる形態でもよい。この例では、循環吹出グリル７と循環・換気吸込グリル８ｂは一列に並んで配置される。更に、脱衣所５２の天井面で循環吹出グリル７及び循環・換気吸込グリル８ｂが設置されない箇所については、カバー部材が取り付けられて、天井パネル５２ｂに対して略同一面となるように構成される。
【００６４】
このように、浴室空調装置１００の取付方法によれば、浴室５１及び脱衣所５２の二室を同時もしくは個別に暖房運転モード、涼風運転モード又は換気運転モードを設定して空調運転可能な浴室空調装置１００を組立てることができる。しかも、送風装置本体２、吹出口ユニット３及び吸込口ユニット４ａ，４ｂを点検口５５ａ、５５ｂから施工できるようになる。従って、組立て（ユニットバス）式の浴室等において、当該浴室空調装置１００を容易に設置できるようになる。
【００６５】
また、従来方式に比べて、厚みを薄くし、幅を狭くした循環・換気吸込グリル８ａが浴室５１に露出し、循環吹出グリル７及び循環・換気吸込グリル８ｂが脱衣所５２に天井表面に露出するだけである。従って、天井表面が見た目すっきり感を利用者に与えることができる。従来方式の中央暖房システムを適用する場合に比べて、空調システムの簡易化が図られ、運転コストの削減が図れる。
【００６６】
図７は、浴室空調装置１００の制御系の一例を示す機能ブロック図である。
【００６７】
図７に示す浴室空調装置１００は、送風装置本体２及び吹出口ユニット３を制御する制御部６１を備える。制御部６１は制御手段の一例を構成し、ＣＰＵやメモリ等で構成される。制御部６１には、送風装置本体２を構成するファンモータ９及びイオン発生器１６が接続されると共に、吹出口ユニット３を構成するヒータ２５、ダンパモータ２７、人感センサ４６及びルーバモータ４９が接続される。
【００６８】
制御部６１には設定手段の一例を構成する操作部６２が接続され、制御部６１に対して動作運転モードを設定するように操作される。制御部６１は、図示しないメモリ等に格納されたプログラムに従って、例えば暖房運転モード、涼風運転モード、乾燥運転モード及び換気運転モードを実行する。これら運転モードは、入浴者等の利用者が操作部６２を操作すること等により選択され、制御部６１は、選択された運転モードを実行するプログラムに従いファンモータ９、イオン発生器１６、ヒータ２５及びダンパモータ２７等を制御する。
【００６９】
操作部６２は、浴室空調装置本体と独立したリモートコントロール装置で、例えば、浴室５１に隣接した図示しない洗面所の壁面等に取り付けられ、送風装置本体２等に実装される制御部６１とは例えば電気ケーブルで接続される。この例で、操作部６２には図示しない暖房ボタンと可動ルーバボタンとが配置される。これらの操作ボタンが押下されることで発生する操作信号Ｓ６２を制御部６１に出力される。
【００７０】
制御部６１は、人感センサ４６からの入室検知信号Ｓ４６や操作部６２からの操作信号Ｓ６２に基づいて各種制御信号Ｓ９、Ｓ１６、Ｓ２５、Ｓ２７、Ｓ４９及びＳ５６を発生し、送風装置本体２及び吹出口ユニット３を制御する。例えば、制御部６１は送風装置本体２に対して、入室検知信号Ｓ４６や操作信号Ｓ６２等に基づいてモータ制御信号Ｓ９を発生し、モータ制御信号Ｓ９をファンモータ９に出力してファン制御を実行する。ファンモータ９は、モータ制御信号Ｓ９を入力してファン１０を駆動する。また、制御部６１は送風装置本体２に対して、操作信号Ｓ６２に基づくイオン制御信号Ｓ１６を発生し、イオン制御信号Ｓ１６をイオン発生器１６に出力してイオン発生制御を実行する。イオン発生器１６は、イオン制御信号Ｓ１６を入力してイオンを発生する。
【００７１】
更に、制御部６１は吹出口ユニット３に対して、操作信号Ｓ６２に基づくヒータ制御信号Ｓ２５を発生し、ヒータ制御信号Ｓ２５をヒータ２５に出力してヒータ制御を実行する。ヒータ２５はヒータ制御信号Ｓ２５を入力してヒータを加熱する。また、制御部６１は操作信号Ｓ６２に基づくダンパ制御信号Ｓ２７を発生し、ダンパ制御信号Ｓ２７をダンパモータ２７に出力してダンパモータ制御を実行する。ダンパモータ２７は、ダンパ制御信号Ｓ２７を入力して循環ダンパ２６を駆動する。
【００７２】
制御部６１は操作信号Ｓ６２に基づくルーバ制御信号Ｓ４９を発生し、ルーバ制御信号Ｓ４９をルーバモータ４９に出力してルーバモータ制御を実行する。ルーバモータ４９は、ルーバ制御信号Ｓ４９を入力して整流板４８を駆動する。制御部６１は操作信号Ｓ６２に基づくダンパ制御信号Ｓ５６を発生し、ダンパ制御信号Ｓ５６をダンパモータ５６’に出力してダンパ開閉制御を実行する。ダンパモータ５６’は、ダンパ制御信号Ｓ５６を入力してダンパを駆動する。これにより、暖房運転モード、涼風運転モード又は換気運転モードを設定して浴室５１及び脱衣所５２の二室を同時もしくは個別に空調運転を実行できるようになる。
【００７３】
なお、人感センサ４６は、必ずしも設けなくてもよい。また、浴室５１や脱衣所５２等の照明スイッチであってもよく、この信号を入室検知信号Ｓ４６としてもよい。人感センサ４６からの入室検知信号Ｓ４６により電動ルーバ４７により温風や涼風等の吹出方向を制御することもできる。
【００７４】
続いて、実施例としての浴室空調装置１００の動作例について説明をする。図８〜図１１は、各運転モード時の動作例を示す概念図である。この実施例では、浴室及び脱衣所等のサニタリー空間に当該空調装置を適用し、動作運転モードが暖房、涼風、乾燥及び換気の４つに分かれている。この例では、４つの場合に分けて説明をする。
【００７５】
＜暖房運転モード＞
図８Ａ〜Ｃは、第１の実施例としての浴室空調装置１００の暖房運転モード時の動作例を示す概念図である。暖房運転モードは更に、スイング（ルーバ４８の往復動作）、浴室及び脱衣所の３つの場合に分かれている。表１は３つの暖房運転モードをまとめたものである。
【００７６】
【表１】
2007107790.tif 000003
【００７７】
暖房運転モードでは、吹出口ユニット３において循環ダンパ２６が循環位置にあるので、吹出口ケース１７内には、吹出ダクト５と接続された循環・換気吸込口２０から循環吹出口２４へと連通した循環風路２８ａが形成される。
【００７８】
［スイング暖房運転モード］
この例では、図８Ａに示す浴室５１の出入口のドア（戸）５８は開放される。これを前提にして、図７に示した操作部６２によってスイング暖房運転モードが設定されると、送風装置本体２は、吸込口ユニット４ａを通じて浴室５１の空気IIを吸い込むと共に、吸込口ユニット４ｂを通じて脱衣所５２の空気IIを吸い込んで、吹出口ユニット３のスイング機能を利用して浴室５１及び脱衣所５２に交互に温風Ｉを吹き出すようになされる。
【００７９】
例えば、浴室空調装置１００の制御部６１は、操作部６２における操作でスイング暖房運転モードが選択されると、ダンパ制御信号Ｓ２７を出力して、吹出口ユニット３のダンパモータ２７を駆動し、循環ダンパ２６を閉じて循環位置にする。また、制御部６１はダンパ制御信号Ｓ５６をダンパモータ５６’に出力してダンパ開閉制御を実行する。電動ダンパ５６では、ダンパモータ５６’がダンパ制御信号Ｓ５６を入力してダンパを開動作する。
【００８０】
そして、制御部６１はモータ制御信号Ｓ９を出力して送風装置本体２のファンモータ９を駆動し、ファン１０を「設定１：強運転」で回転させると共に、ヒータ制御信号Ｓ２５を出力して吹出口ユニット３のヒータ２５を駆動する。
【００８１】
このとき、送風装置本体２では、ファン１０が回転すると、ファンケース１１のファン吸込口１１ａから空気IIが吸い込まれる。送風装置本体２に吸い込まれた浴室５１内の空気IIは、ファンケース１１のファン吹出口１１ｂから吹出口ユニット３へ吹き出される。吹出口ユニット３では、ユニット内に送り込まれた空気IIは、循環風路２８ａを通って循環吹出グリル７から浴室５１及び脱衣所５２内に吹き出される。
【００８２】
この循環吹出グリル７の手前の循環吹出口２４に配置されているヒータ２５が通電されて加熱されるので、循環吹出口２４を通る空気IIが温められて循環吹出グリル７から吹き出すようになされる。また、循環吹出グリル７には、電動ルーバ部４７が配置されているので、制御部６１はこれを動作させる。例えば、制御部６１はルーバ制御信号Ｓ４９をルーバモータ４９に出力してルーバモータ制御を実行する。ルーバモータ４９は、ルーバ制御信号Ｓ４９を入力して整流板４８を駆動する。ルーバモータ４９の回転力によって、軸４８ａを支点にして整流板４８を左右に振るようなされる。なお、以下の運転動作モードで、初期設定時にもこの動作が入る。
【００８３】
これにより、スイング暖房運転モードでは、浴室５１及び脱衣所５２の内部の空気IIを循環させながら、浴室５１及び脱衣所５２に交互に温風Ｉを吹き出して、浴室５１及び脱衣所５２を同時に暖房することができ、浴室５１及び脱衣所５２の温度を上げることができる。浴室５１及び脱衣所５２に吹き出された温風Ｉは、ファン１０が回転して吸込口ユニット４ａ、４ｂから吸い込まれる。ここに吸い込まれた浴室５１及び脱衣所５２内の空気IIが、吹出ダクト５を介して吹出口ユニット３に送り込まれて循環する。
【００８４】
［浴室暖房運転モード］
この例でも、図８Ｂに示す浴室５１の出入口のドア（戸）５８は開放される。これを前提にして、図７に示した操作部６２によって浴室暖房運転モードが設定されると、送風装置本体２は、吸込口ユニット４ａを通じて浴室５１の空気IIを吸い込むと共に、吸込口ユニット４ｂを通じて脱衣所５２の空気IIを吸い込んで、吹出口ユニット３のスイング機能を利用して浴室５１の方向へ温風Ｉを吹き出すようになされる。
【００８５】
例えば、浴室空調装置１００の制御部６１は、操作部６２における操作で浴室暖房運転モードが選択されると、ダンパ制御信号Ｓ２７を出力して、吹出口ユニット３のダンパモータ２７を駆動し、循環ダンパ２６を閉じて循環位置にする。また、電動ルーバ部４７では、浴室暖房運転モードの設定後、制御部６１がルーバ制御信号Ｓ４９をルーバモータ４９に出力してルーバモータ制御を実行する。ルーバモータ４９は、ルーバ制御信号Ｓ４９を入力して整流板４８を駆動する。この例では、ルーバモータ４９が、図５Ａに示した矢印ｂ方向に回転駆動されるので、軸４８ａを支点に矢印ｂ方向に整流板４８が回転する。この結果、整流板４８は、図１に示した浴室５１の方向に姿勢を変えるようになされる。
【００８６】
そして、モータ制御信号Ｓ９を出力して送風装置本体２のファンモータ９を駆動し、ファン１０を「設定１：強運転」で回転させると共に、ヒータ制御信号Ｓ２５を出力して吹出口ユニット３のヒータ２５を駆動する。このとき、送風装置本体２では、ファン１０が回転すると、吸込口ユニット４ａ，４ｂからファンケース１１のファン吸込口１１ａへ空気IIが吸い込まれる。送風装置本体２に吸い込まれた浴室５１内及び脱衣所５２内の空気IIは、ファンケース１１のファン吹出口１１ｂから吹出口ユニット３へ吹き出される。吹出口ユニット３では、ユニット内に送り込まれた空気IIは、循環風路２８ａを通って循環吹出グリル７から浴室５１の方向へ吹き出される。
【００８７】
これにより、浴室暖房運転モードでは、浴室５１及び脱衣所５２の内部の空気IIを循環させながら、浴室５１の方向へ温風Ｉを吹き出して、浴室５１を重点的に暖房することができ、浴室５１の温度を上げることができる。浴室５１に吹き出された温風Ｉは、ファン１０が回転して吸込口ユニット４ａ、４ｂから吸い込まあれる。ここに吸い込まれた浴室５１内の空気IIが、吹出ダクト５を介して吹出口ユニット３に送り込まれて循環する。
【００８８】
［脱衣所暖房運転モード］
この例では、図８Ｃに示す浴室５１の出入口のドア（戸）５８が閉じられる。これを前提にして、図７に示した操作部６２によって脱衣所暖房運転モードが設定されると、送風装置本体２は、吸込口ユニット４ｂを通じて脱衣所５２の空気IIを吸い込んで、吹出口ユニット３のスイング機能を利用して脱衣所（メインルーム）５２の方向へ温風Ｉを吹き出すようになされる。
【００８９】
例えば、浴室空調装置１００の制御部６１は、操作部６２における操作で脱衣所暖房運転モードが選択されると、ダンパ制御信号Ｓ２７を出力して、吹出口ユニット３のダンパモータ２７を駆動し、循環ダンパ２６を閉じて循環位置にする。また、電動ルーバ部４７では、脱衣所暖房運転モードの設定後、制御部６１がルーバ制御信号Ｓ４９をルーバモータ４９に出力してルーバモータ制御を実行する。ルーバモータ４９は、ルーバ制御信号Ｓ４９を入力して整流板４８を駆動する。この例では、ルーバモータ４９が、図５Ａに示した矢印ａ方向に回転駆動されるので、軸４８ａを支点に矢印ａ方向に整流板４８が回転する。この結果、整流板４８は、図１に示した脱衣所５２の方向に姿勢を変えるようになされる。
【００９０】
そして、モータ制御信号Ｓ９を出力して送風装置本体２のファンモータ９を駆動し、ファン１０を「設定１：強運転」で回転させると共に、ヒータ制御信号Ｓ２５を出力して吹出口ユニット３のヒータ２５を駆動する。このとき、送風装置本体２では、ファン１０が回転すると、吸込口ユニット４ｂからファンケース１１のファン吸込口１１ａへ空気IIが吸い込まれる。送風装置本体２に吸い込まれた脱衣所５２内の空気IIは、ファンケース１１のファン吹出口１１ｂから吹出口ユニット３へ吹き出される。吹出口ユニット３では、ユニット内に送り込まれた空気IIが、循環風路２８ａを通って循環吹出グリル７から脱衣所５２へ吹き出される。
【００９１】
これにより、脱衣所暖房運転モードでは、脱衣所５２の内部の空気IIを循環させながら、脱衣所５２へ温風Ｉを吹き出して、脱衣所５２を専ら暖房することができ、脱衣所５２の温度を上げることができる。脱衣所５２に吹き出された温風Ｉは、ファン１０が回転して吸込口ユニット４ｂから吸い込まれる。ここに吸い込まれた脱衣所５２内の空気IIが、吹出ダクト５を介して吹出口ユニット３に送り込まれて循環する。
【００９２】
＜涼風運転モード＞
［スイング涼風運転モード］
図９Ａ〜Ｃは、涼風運転モード時の動作例を示す概念図である。涼風運転モードは更に、スイング、浴室及び脱衣所の３つの場合に分かれている。表２は３つの涼風運転モードをまとめたものである。
【００９３】
【表２】
2007107790.tif 000004
【００９４】
涼風運転モードでは、吹出口ユニット３において循環ダンパ２６が循環位置と換気位置の中間にあるにあるので、吹出口ケース１７内には、循環風路２８ａと排気風路２８ｂの双方が形成されている。電動ダンパ５６は閉じた状態となされ、吸込口ユニット４ａを通じての浴室５１内の空気IIを吸い込みが停止される。
【００９５】
［スイング涼風運転モード］
この例では、図９Ａに示す浴室５１の出入口のドア（戸）５８は開放される。これを前提にして、図７に示した操作部６２によってスイング涼風運転モードが設定されると、送風装置本体２は、吸込口ユニット４ｂを通じて脱衣所５２の空気IIを吸い込んで、吹出口ユニット３のスイング機能を利用して浴室５１及び脱衣所５２に交互に涼風IIIを吹き出すようになされる。
【００９６】
例えば、浴室空調装置１００の制御部６１は、操作部６２における操作でスイング涼風運転モードが選択されると、ダンパ制御信号Ｓ２７を出力して、吹出口ユニット３のダンパモータ２７を駆動し、循環ダンパ２６を閉じて循環位置にする。また、制御部６１はダンパ制御信号Ｓ５６を電動ダンパ５６のダンパモータ５６’に出力してダンパ開閉制御を実行する。電動ダンパ５６では、ダンパモータ５６’がダンパ制御信号Ｓ５６を入力してダンパを閉動作する。
【００９７】
そして、モータ制御信号Ｓ９を出力して送風装置本体２のファンモータ９を駆動し、ファン１０を「設定１：強運転」で回転させる。このモードでは、吹出口ユニット３のヒータ２５は非駆動である。このとき、送風装置本体２では、ファン１０が回転すると、ファンケース１１のファン吸込口１１ａから空気IIが吸い込まれる。送風装置本体２に吸い込まれた脱衣所５２内の空気IIは、ファンケース１１のファン吹出口１１ｂから吹出口ユニット３へ吹き出される。吹出口ユニット３では、ユニット内に送り込まれた空気IIは、循環風路２８ａを通って循環吹出グリル７から浴室５１及び脱衣所５２内に交互に吹き出される。
【００９８】
例えば、循環吹出グリル７では、制御部６１から入力した、ルーバ制御信号Ｓ４９に基づいてルーバモータ４９が動作する。ルーバモータ４９は、ルーバ制御信号Ｓ４９を入力して整流板４８を駆動する。ルーバモータ４９の回転力によって、軸４８ａを支点にして整流板４８を左右に振るようなされる。
【００９９】
これにより、スイング涼風運転モードでは、浴室５１及び脱衣所５２の内部の空気IIを循環させながら、浴室５１及び脱衣所５２に交互に涼風IIIを吹き出して、浴室５１及び脱衣所５２を同時に、ヒータ２５を通電せずに送風することによる涼風を吹き出すことができ、浴室５１及び脱衣所５２の現在の温度を維持することができる。浴室５１及び脱衣所５２に吹き出された涼風IIIは、ファン１０が回転して吸込口ユニット４ｂから吸い込まれる。ここに吸い込まれた脱衣所５２内の空気IIが、吹出ダクト５を介して吹出口ユニット３に送り込まれて循環する。
【０１００】
［浴室涼風運転モード］
この例でも、図９Ｂに示す浴室５１の出入口のドア（戸）５８は開放される。これを前提にして、図７に示した操作部６２によって浴室涼風運転モードが設定されると、送風装置本体２は、吸込口ユニット４ｂを通じて脱衣所５２の空気IIを吸い込んで、吹出口ユニット３のスイング機能を利用して浴室５１の方向へ涼風IIIを吹き出すようになされる。
【０１０１】
例えば、浴室空調装置１００の制御部６１は、操作部６２における操作で浴室涼風運転モードが選択されると、ダンパ制御信号Ｓ２７を出力して、吹出口ユニット３のダンパモータ２７を駆動し、循環ダンパ２６を閉じて循環位置にする。また、電動ルーバ部４７では、浴室涼風運転モードの設定後、制御部６１がルーバ制御信号Ｓ４９をルーバモータ４９に出力してルーバモータ制御を実行する。ルーバモータ４９は、ルーバ制御信号Ｓ４９を入力して整流板４８を駆動する。この例では、ルーバモータ４９が、図５Ａに示した矢印ｂ方向に回転駆動されるので、軸４８ａを支点に矢印ｂ方向に整流板４８が回転する。この結果、整流板４８は、図１に示した浴室５１の方向に姿勢を変えるようになされる。
【０１０２】
そして、モータ制御信号Ｓ９を出力して送風装置本体２のファンモータ９を駆動し、ファン１０を「設定１：強運転」で回転させる。この例では、吹出口ユニット３のヒータ２５は非駆動である。このとき、送風装置本体２では、ファン１０が回転すると、吸込口ユニット４ｂからファンケース１１のファン吸込口１１ａへ空気IIが吸い込まれる。送風装置本体２に吸い込まれた脱衣所５２内の空気IIは、ファンケース１１のファン吹出口１１ｂから吹出口ユニット３へ吹き出される。吹出口ユニット３では、ユニット内に送り込まれた空気IIは、循環風路２８ａを通って循環吹出グリル７から浴室５１の方向へ吹き出される。
【０１０３】
これにより、浴室涼風運転モードでは、浴室５１及び脱衣所５２の内部の空気IIを循環させながら、浴室５１の方向へ涼風IIIを吹き出して、浴室５１を重点的に涼風環境とすることができ、浴室５１の現在の温度を脱衣所５２の温度に維持することができる。浴室５１に吹き出された涼風IIIは、ファン１０が回転して吸込口ユニット４ｂから吸い込まれ、ここに吸い込まれた脱衣所５２内の空気IIが、吹出ダクト５を介して吹出口ユニット３に送り込まれて循環する。
【０１０４】
［脱衣所涼風運転モード］
この例では、図９Ｃに示す浴室５１の出入口のドア（戸）５８が閉じられる。これを前提にして、図７に示した操作部６２によって脱衣所涼風運転モードが設定されると、送風装置本体２は、吸込口ユニット４ｂを通じて脱衣所５２の空気IIを吸い込んで、吹出口ユニット３のスイング機能を利用して脱衣所５２の方向へ涼風IIIを吹き出すようになされる。
【０１０５】
例えば、浴室空調装置１００の制御部６１は、操作部６２における操作で脱衣所涼風運転モードが選択されると、ダンパ制御信号Ｓ２７を出力して、吹出口ユニット３のダンパモータ２７を駆動し、循環ダンパ２６を閉じて循環位置にする。また、電動ルーバ部４７では、脱衣所涼風運転モードの設定後、制御部６１がルーバ制御信号Ｓ４９をルーバモータ４９に出力してルーバモータ制御を実行する。ルーバモータ４９は、ルーバ制御信号Ｓ４９を入力して整流板４８を駆動する。この例では、ルーバモータ４９が、図５Ａに示した矢印ａ方向に回転駆動されるので、軸４８ａを支点に矢印ａ方向に整流板４８が回転する。この結果、整流板４８は、図１に示した脱衣所５２の方向に姿勢を変えるようになされる。
【０１０６】
そして、モータ制御信号Ｓ９を出力して送風装置本体２のファンモータ９を駆動し、ファン１０を「設定１：強運転」で回転させる。吹出口ユニット３のヒータ２５は非駆動である。このとき、送風装置本体２では、ファン１０が回転すると、吸込口ユニット４ｂからファンケース１１のファン吸込口１１ａへ空気IIが吸い込まれる。送風装置本体２に吸い込まれた脱衣所５２内の空気IIは、ファンケース１１のファン吹出口１１ｂから吹出口ユニット３へ吹き出される。吹出口ユニット３では、ユニット内に送り込まれた空気IIが、循環風路２８ａを通って循環吹出グリル７から脱衣所５２へ吹き出される。
【０１０７】
これにより、脱衣所涼風運転モードでは、脱衣所５２の内部の空気IIを循環させながら、脱衣所５２へ涼風IIIを吹き出して、脱衣所５２を専ら涼風環境とすることができ、脱衣所５２の温度現在を維持することができる。脱衣所５２に吹き出された涼風IIIは、ファン１０が回転して吸込口ユニット４ｂから吸い込んだ脱衣所５２内の空気IIが、吹出ダクト５を介して吹出口ユニット３に送り込まれて循環する。また、吹出口ユニット３に送り込まれた空気IIの一部は、排気風路２８ｂを通り排気ダクト２２から屋外へ排出される。更に、浴室５１内の空気IIが屋外に排出されることで、図示しない浴室ドア等に設けられた空気取入口から、脱衣所５２内へ空気IIが吸い込まれる。
【０１０８】
＜乾燥運転モード＞
乾燥運転モードは更に、スイング、浴室及び脱衣所の３つの場合に分かれている。表３は３つの乾燥運転モードをまとめたものである。この例では、脱衣所乾燥運転モードについて説明する。
【０１０９】
【表３】
2007107790.tif 000005
【０１１０】
乾燥運転モードでは、吹出口ユニット３において循環ダンパ２６が換気位置と循環位置の中間にあるので、吹出口ケース１７内には、循環風路２８ａと排気風路２８ｂの双方が形成されている。電動ダンパ５６は閉じた状態となされ、吸込口ユニット４ａを通じての浴室５１内の空気IIを吸い込みが停止される。
［脱衣所乾燥運転モード］
図１０は、脱衣所乾燥運転モード時の動作例を示す概念図である。この例では、図１０に示す浴室５１の出入口のドア（戸）５８が閉じられる。これを前提にして、図７に示した操作部６２によって脱衣所乾燥運転モードが設定されると、送風装置本体２は、吸込口ユニット４ｂを通じて脱衣所５２の空気IIを吸い込んで、吹出口ユニット３のスイング機能を利用して脱衣所５２の方向へ温風Ｉを吹き出すようになされる。
【０１１１】
例えば、浴室空調装置１００の制御部６１は、操作部６２における操作で脱衣所乾燥運転モードが選択されると、ダンパ制御信号Ｓ２７を出力して、吹出口ユニット３のダンパモータ２７を駆動し、循環ダンパ２６を半閉じ（半開し）て換気位置と循環位置の中間にする。また、電動ルーバ部４７では、脱衣所乾燥運転モードの設定後、制御部６１がルーバ制御信号Ｓ４９をルーバモータ４９に出力してルーバモータ制御を実行する。ルーバモータ４９は、ルーバ制御信号Ｓ４９を入力して整流板４８を駆動する。この例では、ルーバモータ４９が、図５Ａに示した矢印ａ方向に回転駆動されるので、軸４８ａを支点に矢印ａ方向に整流板４８が回転する。この結果、整流板４８は、図１に示した脱衣所５２の方向に姿勢を変えるようになされる。
【０１１２】
そして、モータ制御信号Ｓ９を出力して送風装置本体２のファンモータ９を駆動し、ファン１０を回転させると共に、ヒータ制御信号Ｓ２５を出力して吹出口ユニット３のヒータ２５を駆動する。このとき、送風装置本体２では、ファン１０が「設定１：強運転」で回転すると、吸込口ユニット４ｂからファンケース１１のファン吸込口１１ａへ空気IIが吸い込まれる。送風装置本体２に吸い込まれた脱衣所５２内の空気IIは、ファンケース１１のファン吹出口１１ｂから吹出口ユニット３へ吹き出される。吹出口ユニット３では、ユニット内に送り込まれた空気IIが、循環風路２８ａを通って循環吹出グリル７から脱衣所５２へ吹き出される。
【０１１３】
これにより、脱衣所乾燥運転モードでは、脱衣所５２の内部の空気IIを循環させながら、脱衣所５２へ温風Ｉを吹き出して、脱衣所５２を専ら乾燥室のようにすることができ、脱衣所５２の温度を上げることができる。脱衣所５２に吹き出された温風Ｉは、ファン１０が回転して吸込口ユニット４ｂから吸い込まれる。ここに吸い込まれた脱衣所５２内の空気IIが、吹出ダクト５を介して吹出口ユニット３に送り込まれて循環する。
【０１１４】
また、吹出口ユニット３に送り込まれた空気IIの一部は、排気風路２８ｂを通り排気ダクト２２から屋外へ排出される。更に、脱衣所５２内の空気IIが屋外に排出されることで、図示しない脱衣所ドア等に設けられた空気取入口（ガラリ）から、脱衣所内へ空気IIが吸い込まれる。これにより、乾燥運転モードでは、脱衣所５２内に温風Ｉを吹き出して、図示しないランドリパイプ等の物干し部材に掛けられた洗濯物を乾燥させることができる。また、脱衣所５２内の空気IIの一部は屋外に排気されて換気が行われるので、湿気等を排出して、洗濯物の乾燥を促進することができる。
【０１１５】
＜換気運転モード＞
図１１Ａ及びＢは、換気運転モード時の動作例を示す概念図である。換気運転モードは、通常の換気、２４時間換気及びクリーン換気の３つ場合に分かれている。クリーン換気は、更に、スイング、浴室及び脱衣所の３つに分かれている。表４は５つの換気運転モードをまとめたものである。この例では、通常の換気、２４時間換気及びクリーン換気運転モードについて説明をする。
【０１１６】
【表４】
2007107790.tif 000006
【０１１７】
換気運転モードでは、吹出口ユニット３において循環ダンパ２６が換気位置にあるので、吹出口ケース１７内には、排気風路２８ｂが形成されている。電動ダンパ５６は開いた状態となされ、吸込口ユニット４ａを通じての浴室５１内の空気IIを吸い込みが行われる。
【０１１８】
＜通常の換気モード＞
この例では、図１１Ａに示す浴室５１の出入口のドア（戸）５８が開けられる。これを前提にして、図７に示した操作部６２によって、換気運転モードが設定されたとき、送風装置本体２は、吸込口ユニット４ａを通じて浴室５１の空気IIを吸い込むと共に、吸込口ユニット４ｂを通じて脱衣所５２の空気IIを吸い込んで、吹出口ユニット３及び換気ダクト２２を通じて外部に排気する。
【０１１９】
例えば、浴室空調装置１００の制御部６１は、操作部６２における操作で通常の換気運転モードが選択されると、ダンパ制御信号Ｓ２７を出力して、吹出口ユニット３のダンパモータ２７を駆動して、循環ダンパ２６を換気位置にする。制御部６１は送風装置本体２のファンモータ１０にモータ制御信号Ｓ９を出力してファン制御を実行する。ファンモータ９は、モータ制御信号Ｓ９を入力してファン１０を駆動する。
【０１２０】
そして、送風装置本体２のファンモータ９を駆動してファン１０を「設定２：中運転」で回転させる。換気運転モードでは、吹出口ユニット３のヒータ２５は駆動しない。送風装置本体２において、ファン１０が回転すると、ファンケース１１のファン吸込口１１ａから空気IIが吸い込まれる。上述したように、送風装置本体２は、ファン吸込口１１ａが吸込ダクト６を介して吸込口ユニット４ａ及び脱衣所５２の吸込口ユニット４ｂと連通しているので、吸込口ユニット４ａの循環・換気吸込グリル８ａから、浴室５１内の空気IIが吸込ダクト６を介して送風装置本体２に吸い込まれ、吸込口ユニット４ｂの循環・換気吸込グリル８ｂから、脱衣所５２内の空気IIが吸込ダクト６を介して送風装置本体２に吸い込まれる。
【０１２１】
送風装置本体２に吸い込まれた浴室５１及び脱衣所５２内の空気IIは、ファンケース１１のファン吹出口１１ｂから吹き出す。上述したように、送風装置本体２は、ファン吹出口１１ｂが吹出ダクト５を介して吹出口ユニット３と連通しているので、吸込口ユニット４から吸い込んだ浴室５１及び脱衣所５２内の空気IIが、吹出ダクト５を介して吹出口ユニット３に送り込まれる。
【０１２２】
換気運転モードでは、吹出口ユニット３において循環ダンパ２６が換気位置にあるので、吹出口ケース１７内には、吹出ダクト５と接続された循環・換気吸込口２０から換気吹出口２１へと連通した排気風路２８ｂが形成されている。
【０１２３】
これにより、吹出口ユニット３に送り込まれた空気IIは、排気風路２８ｂを通り排気ダクト２２から屋外へ排出される。また、浴室５１内の空気IIが屋外に排出されることで、図示しない脱衣所５２のドア等に設けられた空気取入口から、脱衣所５２の空気IIが吸い込まれる。これにより、換気運転モードでは、浴室５１内の湯気や、脱衣所５２の湿気を排出して結露等を抑制し、カビの発生を抑えることができる。
【０１２４】
＜２４時間換気モード＞
この例でも、図１１Ａに示したように浴室５１の出入口のドア（戸）５８が開けられる。これを前提にして、図７に示した操作部６２によって、２４時間換気運転モードが設定されたとき、送風装置本体２は、吸込口ユニット４ａを通じて浴室５１の空気IIを吸い込むと共に、吸込口ユニット４ｂを通じて脱衣所５２の空気IIを吸い込んで、吹出口ユニット３及び換気ダクト２２を通じて外部に排気する。
【０１２５】
通常の換気運転モードと異なるところは、送風装置本体２のファンモータ９を「設定３：弱運転」で駆動してファン１０を回転させる点である。このようにすると、終日換気運転を実行できるようになる。その他は、通常の換気運転モードと同様なのでその説明を省略する。
【０１２６】
＜クリーン換気運転モード＞
この例では、図１１Ｂに示す浴室５１の出入口のドア（戸）５８が開けられる。これを前提にして、図７に示した操作部６２によって、クリーン換気運転モードが設定されたとき、送風装置本体２は、吸込口ユニット４ａを通じて浴室５１の空気IIを吸い込むと共に、吸込口ユニット４ｂを通じて脱衣所５２の空気IIを吸い込んで、吹出口ユニット３及び換気ダクト２２を通じてその一部を外部に排気する。電動ルーバ部４７は、クリーン換気運転モードが設定されると、ルーバモータ４９の回転力によって、軸４８ａを支点にして整流板４８を左右に振るようなされる。吹出口ユニット３は、スイング機能及びイオン発生機能を利用して浴室５１及び脱衣所５２に前述の正イオン及び負イオンを含む空気IVを吹き出すようになされる。
【０１２７】
例えば、クリーン換気運転モードでは、制御部６１は操作部６２における操作でクリーン換気運転モードが選択されると、ダンパ制御信号Ｓ２７を出力して、吹出口ユニット３のダンパモータ２７を駆動し、循環ダンパ２６を半開状態にして、ダンパを換気位置と循環位置の中間にする。また、制御部６１はダンパ制御信号Ｓ５６をダンパモータ５６’に出力してダンパ開閉制御を実行する。電動ダンパ５６では、ダンパモータ５６’がダンパ制御信号Ｓ５６を入力してダンパを開動作する。
【０１２８】
そして、モータ制御信号Ｓ９を出力して送風装置本体２のファンモータ９を駆動し、ファン１０を「設定１：強運転」で回転させると共に、イオン発生器１６を駆動する。このとき、制御部６１はイオン発生器１６にイオン制御信号Ｓ１６を出力してイオン発生制御を実行する。イオン発生器１６は、イオン制御信号Ｓ１６を入力して正イオンと負イオンの双方を発生する。クリーン換気運転モードでも、吹出口ユニット３のヒータ２５は駆動しない。
【０１２９】
送風装置本体２において、ファン１０が回転すると、電動ダンパ５６が開状態となっているので、吸込口ユニット４ａの循環・換気吸込グリル８ａから、浴室５１内の空気IIが吸込ダクト６を介して送風装置本体２に吸い込まれる。また、吸込口ユニット４ｂの循環・換気吸込グリル８ｂから、脱衣所５２内の空気IIが吸込ダクト６を介して送風装置本体２に吸い込まれる。送風装置本体２に吸い込まれた浴室５１及び脱衣所５２内の空気IIは、吹出ダクト５を介して吹出口ユニット３に送り込まれる。
【０１３０】
クリーン換気運転モードでは、吹出口ユニット３において循環ダンパ２６が循環換気位置にあるので、吹出口ケース１７内には、循環風路２８ａと排気風路２８ｂの双方が形成されている。これにより、吹出口ユニット３に送り込まれた空気IIの一部は、循環風路２８ａを通って循環吹出グリル７から浴室５１内に吹き出される。そして、吹出口ユニット３に送り込まれる空気IIには、イオン発生器１６で正イオンと負イオンの双方が供給されているので、浴室５１及び脱衣所５２に略同数の正イオンと負イオンを含む空気IVが吹き出される。
【０１３１】
また、吹出口ユニット３に送り込まれた空気IIの一部は、排気風路２８ｂを通り排気ダクト２２から屋外へ排出される。更に、浴室５１内の空気IIが屋外に排出されることで、図示しない脱衣所５２に設けられた空気取入口から、脱衣所５２に空気IIが吸い込まれる。
【０１３２】
これにより、クリーン換気運転モードでは、浴室５１及び脱衣所５２内の換気を行いながら、ファン部３２の運転と連動させて略同数の正イオンと負イオンを発生させ、略同数の正イオンと負イオンを含む空気IVを送風することで、循環する空気IIに含まれる浮遊細菌と、図１に示す浴室１０１の空気中の浮遊細菌の双方を除去して、カビの発生等を抑えることができる。しかも、衣類等が掛けられている脱衣所５２内に、正イオンと負イオンの双方を含む空気IVが吹き出されるので、衣類等におけるカビ菌の増殖を防ぐことができる。
【０１３３】
このように、第１の実施例としての浴室空調装置１００によれば、浴室５１又は脱衣所５２の天井裏面に設置された送風装置本体２は、浴室５１及び脱衣所５２の天井パネルの裏面で、吸込口ユニット４ａ及び４ｂと吸込ダクト６を介して接続されると共に、吹出口ユニット３と吹出ダクト５を介して接続されて空気IIを循環送風するようになされる。吸込口ユニット４ａ、４ｂは、暖房、涼風、乾燥、換気等の動作運転モードに基づいて吸気及び循環換気をし、吹出口ユニット３は温風Ｉ又は涼風IIIを吹き出すようになされる。
【０１３４】
従って、浴室５１及び脱衣所５２の二室を同時もしくは個別に暖房運転モードや、涼風運転モード、換気運転モード等を設定して空調運転できるようになる。これにより、浴室５１や脱衣所５２等のサニタリー空間を快適な環境に維持することができる。
【０１３５】
この実施例では、第１の室を浴室５１、第２の室を脱衣所５２としたが、第１の室が脱衣所５２、第２の室を浴室５１としてもよい。ここでいう浴室５１には浴槽を持たないシャワー室を含むものであり、脱衣所５２には、洗面所を含むものである。本発明を利用することで、これらのサニタリー空間を快適な環境に維持することができる。もちろん、動作運転モードは暖房運転モードや、涼風運転モード、換気運転モード等に限定されるものではない。
【産業上の利用可能性】
【０１３６】
本発明は、浴室や、脱衣所、シャワー室、洗面所等のサニタリー空間に設置され、これら空間の換気、換気及び涼風等を行う浴室換気乾燥暖房機に適用して極めて好適である。
【図面の簡単な説明】
【０１３７】
【図１】本発明に係る実施例としての浴室空調装置１００の構成例を示す上面図である。
【図２】図１に示した浴室空調装置１００の空調部材の配置例をＡＡ方向から見た側面図である。
【図３】（Ａ）及び（Ｂ）は、送風装置本体２の内部構成例を示す断面図である。
【図４】吹出口ユニット３の内部構成例を示す断面図である。
【図５】（Ａ）〜（Ｃ）は、電動ルーバを備えた循環吹出グリル７の構成例及び動作例を示す図である。
【図６】（Ａ）及び（Ｂ）は、吸込口ユニット４ａ等の内部構成例を示す断面図である。
【図７】浴室空調装置１００の制御機能例を示すブロック図である。
【図８】（Ａ）〜（Ｃ）は、実施例としての浴室空調装置１００の暖房運転モード時の動作例を示す概念図である。
【図９】（Ａ）〜（Ｃ）は、涼風運転モード時の動作例を示す概念図である。
【図１０】脱衣所乾燥運転モード時の動作例を示す概念図である。
【図１１】（Ａ）及び（Ｂ）は、換気運転モード時の動作例を示す概念図である。
【符号の説明】
【０１３８】
２・・・送風装置本体、３・・・吹出口ユニット、４ａ，４ｂ・・・吸込口ユニット、５・・・吹出ダクト、６・・・吸込ダクト、７・・・循環吹出グリル、８ａ，８ｂ・・・循環・換気吸込グリル、９・・・ファンモータ、１０・・・ファン、１１・・・ファンケース、１１ａ・・・ファン吸込口、１１ｂ・・・ファン吹出口、１２・・・本体ケース、１３・・・吹出ダクト取付部、１４・・・吸込風路、１５・・・吸込ダクト取付部、１６・・・イオン発生器、１７・・・吹出口ケース、１８・・・吹出ダクト取付部、１９・・・吹出グリル取付部、２０・・・循環・換気吸込口、２１・・・換気吹出口、２２・・・排気ダクト、２３・・・排気ダクト取付部、２４，５４ｃ・・・循環吹出口、２５・・・ヒータ、２６・・・循環ダンパ、２７・・・ダンパモータ、２８ａ・・・循環風路、２８ｂ・・・排気風路、２９・・・チャンバー、３０・・・吸込グリル取付部、４６・・・人感センサ、４７・・・電動ルーバ部、４８・・・整流板、４８ａ・・・軸、４９・・・ルーバモータ、５０・・・リンク機構、５０ａ・・・リンクレバー、５０ｂ・・・リンクロッド、５１・・・浴室、５２・・・脱衣所、５２ａ，５２ｂ・・・天井パネル、５４ａ，５４ｂ・・・吸込口、５６・・・電動ダンパ、６１・・・制御部、６２・・・操作部、１００・・・浴室空調装置
【図１】
2007107790.tif 000007
【図２】
2007107790.tif 000008
【図３】
2007107790.tif 000009
【図４】
2007107790.tif 000010
【図５】
2007107790.tif 000011
【図６】
2007107790.tif 000012
【図７】
2007107790.tif 000013
【図８】
2007107790.tif 000014
【図９】
2007107790.tif 000015
【図１０】
2007107790.tif 000016
【図１１】
2007107790.tif 000017